(57)【要約】【課題】  本発明の目的は、記録媒体の操作命令を出したのに、この操作命令に当該記録媒体が対応しない場合、ドライブから当該記録媒体を取り出し、記録媒体の入れ替えを促す情報処理装置を提供することである。【解決手段】  記録媒体を収容する収容手段（３２０）と、前記収容されている記録媒体から情報を読み取る読み取り手段（２００、２２０）と、前記読み取り手段が前記収容されている記録媒体から情報を読み取れない場合、前記収容されている記録媒体を取り出すように前記収容手段に指示する指示手段（２４０）とを備える情報処理装置。【選択図】  図１
2005353130.tif 000002
【特許請求の範囲】
【請求項１】
記録媒体を収容する収容手段と、
前記収容されている記録媒体から情報を読み取る読み取り手段と、
前記読み取り手段が前記収容されている記録媒体から情報を読み取れない場合、前記収容されている記録媒体を露出させるように前記収容手段に指示する指示手段と
を備える情報処理装置。
【請求項２】
前記収容手段がトレイ方式であり、このトレイに前記記録媒体が収容されている場合、前記指示手段は前記トレイを開口するように前記収容手段に指示することを特徴とする請求項１記載の情報処理装置。
【請求項３】
前記収容手段が挿入溝方式であり、この挿入溝の中に前記記録媒体が収容されている場合、前記指示手段は前記挿入溝から前記記録媒体が露出するように前記収容手段に指示することを特徴とする請求項１記載の情報処理装置。
【請求項４】
前記読み取り手段はＣＤ再生、ＤＶＤ再生またはデータリードのうち少なくとも１つを実行することを特徴とする請求項１記載の情報処理装置。
【発明の詳細な説明】
【技術分野】
【０００１】
本発明は、情報処理装置に関し、特に、着脱可能な記録媒体を収容するドライブを備えた情報処理装置に関する。
【背景技術】
【０００２】
音楽ＣＤ等のメディアの再生機能を有するパーソナルコンピュータが実用化されている。このようなパーソナルコンピュータの中には、ＣＤ再生のための専用操作スイッチを有している。さらに、通常のＣＤプレーヤのように、電源スイッチ、再生スイッチ、停止スイッチ、早送りスイッチ、巻戻しスイッチをラップトップコンピュータの表示部を閉じた状態でも操作できるように、筐体前面に設けたものがある。
【０００３】
このため、従来の情報処理装置では、電源スイッチが押されると、ドライブ内にメディアが有るかをチェックし、無い場合にはトレイイジェクトし、有る場合にメディアの種類を判断し、さらに、再生スイッチが押されたか判断してから、ＣＤ等の再生を行っている（例えば特許文献１参照）。
【特許文献１】特開２００２−６９７７号公報（第６〜７頁、図２）
【発明の開示】
【発明が解決しようとする課題】
【０００４】
しかし、ユーザが再生スイッチを押し再生命令を出したのに、トレイに収容されているメディアが再生処理に対応しない場合、例えば再生すべきデータが無い場合には、単に再生処理が停止するだけで、イジェクトを実行していなかった。したがって、ユーザは何が原因で再生しないのか理解できなかった。正しいメディアを入れ直すためにユーザがイジェクトを実行する必要があり、また、コンピュータ自体にエラーがあるのか、ディスクにエラーがあるのかも判断できないという問題がある。
【０００５】
本発明の目的は、記録媒体の操作命令を出したのに、この操作命令に当該記録媒体が対応しない場合、ドライブから当該記録媒体を取り出し、記録媒体の入れ替えを促す情報処理装置を提供することである。
【課題を解決するための手段】
【０００６】
第１の発明は、記録媒体を収容する収容手段と、前記収容されている記録媒体から情報を読み取る読み取り手段と、前記読み取り手段が前記収容されている記録媒体から情報を読み取れない場合、前記収容されている記録媒体を露出させるように前記収容手段に指示する指示手段とを備える情報処理装置である。
【０００７】
第２の発明は、前記収容手段がトレイ方式であり、このトレイに前記記録媒体が収容されている場合、前記指示手段は前記トレイを開口するように前記収容手段に指示することを特徴とする第１の発明記載の情報処理装置である。
【０００８】
第３の発明は、前記収容手段が挿入溝方式であり、この挿入溝の中に前記記録媒体が収容されている場合、前記指示手段は前記挿入溝から前記記録媒体が露出するように前記収容手段に指示することを特徴とする第１の発明記載の情報処理装置である。
【０００９】
第４の発明は、前記読み取り手段はＣＤ再生、ＤＶＤ再生またはデータリードのうち少なくとも１つを実行することを特徴とする第１の発明記載の情報処理装置である。
【発明の効果】
【００１０】
本発明によれば、記録媒体の操作命令を出したのに、この操作命令に当該記録媒体が対応しない場合、ドライブから当該記録媒体を取り出し、記録媒体の入れ替えを促す情報処理装置を提供することができる。
【発明を実施するための最良の形態】
【００１１】
以下、本発明の実施の形態について図面を参照しながら説明する。
【００１２】
図１は、本発明の実施形態に係る情報処理装置の概略ブロック図である。ＣＰＵ(Central Processing Unit)１００のバスライン１２０にメモリ１４０、電源コントローラ１６０などが接続される。メモリ１４０にはＯＳ(Operating System)１８０、ＣＤ／ＤＶＤ再生アプリケーションソフト２００、データリード可能なその他のアプリケーションソフト２２０、及び後述するイジェクト処理プログラム２４０が格納されている。情報処理装置全体の電源スイッチ２６０が設けられており、この電源スイッチ２６０が投入されると、電源コントローラ１６０経由で、ＯＳ１８０が起動され初期設定動作が行われる。電源スイッチ２６０は押しボタン式などであればよい。
【００１３】
操作スイッチ２８０は再生、停止、早送り、巻戻しなどの機能をスイッチコントローラ３００に指示できる。本情報処理装置がラップトップコンピュータの場合は表示部３４０を閉じた状態でも操作できるように、筺体前面に設けられていることが望ましい。
【００１４】
ＣＤ／ＤＶＤドライブ３２０はＣＤ／ＤＶＤなどの記録媒体（メディア）を収容でき、メディアコントローラ３８０で制御されており、また、表示部３４０はディスプレイコントローラ４００で、スピーカ３６０はサウンド回路４２０でそれぞれ制御されている。なお、通常の情報処理装置に備わっているハードディスクドライブ４６０、フロッピー（登録商標）ディスクドライブ４８０、ＰＣカードスロット５００、モデム５２０などは本実施形態には直接関わらないので、まとめてバスライン１２０に接続されるその他のインターフェース４４０として示す。
【００１５】
図２はイジェクト処理プログラム２４０のフローチャートである。イジェクト処理プログラム２４０はＣＤ／ＤＶＤ再生アプリケーションソフト２００と共にメモリ１４０に格納されており、操作スイッチ２８０から再生などの実行命令をスイッチコントローラ３００経由で受け取ると、まず、ＤＶＤ再生可能かを判断する（Ｓ１１０）。再生できる場合には、ＣＤ／ＤＶＤ再生アプリケーションソフト２００にＤＶＤ再生を実行させる（Ｓ１２０）。
【００１６】
一方、ＤＶＤ再生できないと判断した場合には、ＣＤなどのオーディオ再生が可能かを判断する（Ｓ１３０）。オーディオ再生できる場合には、同様にＣＤ／ＤＶＤ再生アプリケーションソフト２００にＣＤ再生を実行させる（Ｓ１４０）。
【００１７】
オーディオ再生もできない場合にはデータリードが実行可能かを判断する（Ｓ１５０）。データリードできる場合には、ＯＳ１８０がＤＯＳ系ならばｄｉｒコマンドを、ＵＮＩＸ（登録商標）系ならばｌｓコマンドをその他のアプリケーションソフト２２０に実行させる（Ｓ１６０）。データリードもできない場合には、ＣＤ／ＤＶＤドライブ320をイジェクト、例えばドライブがトレイ式の場合メディアトレイが開口し、メディアの入れ替え、装着をユーザに促す。
【００１８】
本実施形態によれば、イジェクト処理プログラムがメディアの種類を判別し、いずれのアプリケーションにも対応していない、例えば、メディアにデータが記録されていない場合、ドライブからメディアが取り出され、ユーザにメディアの交換を促すことができる。したがって、ユーザは再生しなかった理由がコンピュータ自体にエラーがあるのではなく、ディスクの方に問題があることを速やかに判断でき、ユーザインターフェースに優れている。
【００１９】
上述した実施の形態は、本発明の好適な具体例であるから、技術的に好ましい種々の限定が付されているが、本発明の趣旨を逸脱しない範囲であれば、適宜組合わせ及び変更することができることはいうまでもない。
【００２０】
例えば、ＤＶＤ、ＣＤの順に再生が可能かを判断するだけでなく、その逆、ＣＤ、ＤＶＤの順に再生が可能かを判断してもよい。また、メディアドライブとしてはトレイ式にかかわらず、スロットイン式（挿入溝方式）であってもよい。この場合は挿入溝から記録媒体が露出し、ユーザに交換を促す。
【図面の簡単な説明】
【００２１】
【図１】本実施形態に係る情報処理装置の概略ブロック図。
【図２】イジェクト処理プログラムのフローチャート。
【符号の説明】
【００２２】
１００  ＣＰＵ
１２０  バスライン
１４０  メモリ
１６０  電源コントローラ
１８０  ＯＳ
２００  ＣＤ／ＤＶＤ再生アプリケーションソフト
２２０  その他のアプリケーションソフト
２４０  イジェクト処理プログラム
２６０  電源スイッチ
２８０  操作スイッチ
３００  スイッチコントローラ
３２０  ＣＤ／ＤＶＤドライブ
３４０  表示部
３６０  スピーカ
３８０  メディアコントローラ
４００  ディスプレイコントローラ
４２０  サウンド回路
４４０  その他のインターフェース
４６０  ハードディスクドライブ
４８０  フロッピー（登録商標）ディスクドライブ
５００  ＰＣカードスロット
５２０  モデム
【図１】
2005353130.tif 000003
【図２】
2005353130.tif 000004